(57)【要約】      （修正有）【課題】コイン保持板のコイン保持穴からコインを取り出すに際し、コインを垂直に起立保持した状態で容易に取り出せるようにする。【解決手段】一側面でコインＰを嵌合保持するようコインＰ径に合わせた口径を有するコイン保持穴７を有するコイン保持板３と、該コイン保持板３を出入自在に収納する収納部とを有するコインストッカーであって、コイン保持穴７に嵌合保持しているコインＰの周側部分を上方から指先で押し込むことで当該コインＰを垂直に起立保持した状態で取り出せるようコイン保持穴７の底板部分に穴外形に沿った円弧部分７ａと該円弧部分７ａの両側から直線状の弦部分７ｂに沿って切除して成る開口部９を形成することでコイン取出し機構Ｑとする。【選択図】図４
2007252765.tif 000002
【特許請求の範囲】
【請求項１】
一側面でコインを嵌合保持させるようコイン径に合わせた口径を有するコイン保持穴を有するコイン保持板と、該コイン保持板を出入自在に収納させる収納部とを有するコインストッカーであって、コイン保持穴に嵌合保持されているコインの周側部分を上方から指先で押し込むことで当該コインを垂直に起立保持させた状態で取り出せるようコイン保持穴の底板部分に穴外形に沿った円弧部分と、該円弧部分の両側から直線状の弦部分に沿って切除して成る開口部を形成することでコイン取出し機構としたことを特徴とするコインストッカー。
【請求項２】
コイン取出し機構は、開口部における円弧部分に繋がる弦部分の両端側に、互いに対向状態で切欠された差込溝部を有する請求項１記載のコインストッカー。
【請求項３】
弦部分は、コイン保持穴の水平な直径ラインのやや下方に位置している請求項１または２記載のコインストッカー。
【発明の詳細な説明】
【技術分野】
【０００１】
本発明は、コイン保持板のコイン保持穴からコインを取り出すためのコイン取出し機構を備えたコインストッカーに関する。
【背景技術】
【０００２】
従来、コインストッカーにおけるコイン保持板には、コイン径に合わせた口径を有する有底の複数のコイン保持穴を備えており、このコイン保持穴に所定のコインを嵌め込むのであった。
【特許文献１】特に無し
【発明の開示】
【発明が解決しようとする課題】
【０００３】
しかしながら、従来においては、このような構成のコイン保持穴ではコインを取り出すのに不便なものである。すなわち、指先の爪を使ってコインの端部を引っ掛けて取り出すとしても非常に面倒で時間も掛かるものであった。
【０００４】
そこで、本発明は、叙上のような従来存した諸事情に鑑み創出されたもので、コイン保持板のコイン保持穴からコインを取り出すに際し、コインを垂直に起立保持させた状態で容易に取り出せるようにしたコイン取出し機構を備えたコインストッカーを提供することを目的とする。
【課題を解決するための手段】
【０００５】
上述した課題を解決するため、本発明にあっては、一側面でコインを嵌合保持させるようコイン径に合わせた口径を有するコイン保持穴を有するコイン保持板と、該コイン保持板を出入自在に収納させる収納部とを有するコインストッカーであって、コイン保持穴に嵌合保持されているコインの周側部分を上方から指先で押し込むことで当該コインを垂直に起立保持させた状態で取り出せるようコイン保持穴の底板部分に穴外形に沿った円弧部分と該円弧部分の両側から直線状の弦部分に沿って切除して成る開口部を形成することでコイン取出し機構としたことを特徴とする。
【０００６】
コイン取出し機構は、開口部における円弧部分に繋がる弦部分の両端側に、互いに対向状態で切欠された差込溝部を有するものとすることができる。
【０００７】
弦部分は、コイン保持穴の水平な直径ラインのやや下方に位置しているものとすることができる。
【発明の効果】
【０００８】
本発明によれば、コイン保持板のコイン保持穴からコインを取り出すに際し、コインを垂直に起立保持させた状態で容易に取り出せるようにしたコイン取出し機構を備えたコインストッカーを提供することができる。
【０００９】
すなわち本発明は、コイン保持穴に嵌合保持されているコインの周側部分を上方から指先で押し込むことで当該コインを垂直に起立保持させた状態で取り出せるようコイン保持穴の底板部分に穴外形に沿った円弧部分と該円弧部分の両側から直線状の弦部分に沿って切除して成る開口部を形成することでコイン取出し機構としたので、コインの周側部分が上方から開口部側に向けて指先で押し込まれた際に、当該開口部の反対側からコインの周縁一部が突出された状態となって当該コインは垂直に起立保持された状態となり、これによってコイン保持穴からコインを指先で摘んで容易に取り出すことができる。
【００１０】
また、コイン取出し機構は、開口部における円弧部分に繋がる弦部分の両端側に、互いに対向状態で切欠された差込溝部を有するので、コインの周側部分が上方から開口部側に向けて指先で押し込まれ、当該コインが開口部上で垂直に起立保持された際には、コインの両側が差込溝部に嵌り込む状態となり、これによってコイン自体を安定した状態で起立支持させておくことができ、以後のコインの取り出しが容易なものとなる。
【００１１】
さらに、弦部分は、コイン保持穴の水平な直径ラインよりやや下方に位置するため、コイン保持穴で起立したコインの上方が大きく突出するものとなり、コインの取り出しがいっそう容易となるうえに、コイン保持穴の開口部を突き抜けることによるコインの下方への落下を阻止することができる。
【発明を実施するための最良の形態】
【００１２】
以下、図面を参照して本発明を実施するための最良の一形態を説明する。
図において示される符号１は、例えば、横幅員が５３．９ｃｍ、縦幅員が８５．５ｃｍという一般的な標準カードサイズに形成されたコインストッカーであり、該コインストッカー１は、図１に示すように、このカードサイズを備えた収納部２と、該収納部２内に出入自在に収納されるコイン保持板３とから構成されている。
【００１３】
コインストッカー１は、図３に示すような収納部２側面のＬ字開口部２ａを介してコイン保持板３が収納されている状態から、図２に示すように、収納部２に対してコイン保持板３を回転スライドさせて引き出し可能となるようコイン保持板３の下部中央は、収納部２内の下部中央に対して支軸４を介して回転可能に枢着され、コイン保持板３の上側肩部にはコイン保持板３を引き出すための取っ手５が形成されている。また、図３に示すように、収納部２の上端側面には、首に吊り下げ可能なネックストラップＳを着脱自在に取り付けるための吊下げ孔部６を備えている。
【００１４】
尚、このようなコインストッカー１における収納部２に対するコイン保持板３の引出・収納機構は、本発明を何等限定するものではなく、他の引出・収納機構を採用しても良いことは勿論である。
【００１５】
コイン保持板３は、図１に示すように、表面側でコインＰとして例えば１００円玉６個を３個ずつ縦２列に装着できるようにコインＰ径に合わせた口径を有する円形状の６個のコイン保持穴７を凹設し、また各コイン保持穴７の内周面には、装着されるコインＰをパッチン止めのように嵌合保持させるための内径方向に突出した複数のヒダ状の突片部８が形成されている。
【００１６】
そして、図４および図５に示すように、コイン保持穴７の底板部分における例えば下側には、当該コイン保持穴７の周縁に沿った円弧部分７ａと、該円弧部分７ａの両側から直線状に延びた弦部分７ｂとによって囲まれた部分を切除することで、コイン取出し機構Ｑとしての略弓形状となった開口部９が形成されている。コイン取出し機構Ｑにおいて、弦部分７ｂはコイン保持穴７の水平な直径ラインよりやや下方に形成されている。
【００１７】
また、図６に示すように、コイン取出し機構Ｑを形成する開口部９は、円弧部分７ａに繋がる弦部分７ｂの両端側において互いに対向状態で切欠された差込溝部１０を備えている。このとき、差込溝部１０の切欠幅は、コインＰの厚さと略同じ大きさに形成されている。
【００１８】
次に、本実施の形態におけるコイン取出し機構を使ったコイン取り出し方法とその動作について説明する。
コインストッカー１へのコインＰの収納に際し、収納部２からコイン保持板３の取っ手５を手指で持って引き出すと、収納部２内のコイン保持板３は支軸４を介して回転して収納部２側面のＬ字開口部２ａから引き出される。そして、コイン保持穴７にコインＰを嵌め込むと突片部８によって当該コインＰは保持される。
【００１９】
また、コイン保持穴７からコインＰを取り出すときには、コイン保持穴７に嵌ったままの状態でコインＰの周側部分を上方から開口部９側に向けて指先で押し込む。すると当該開口部９の反対側からコインＰの周縁一部が突出された状態となって回転し、当該コインＰは開口部９においてほぼ垂直に起立保持された状態となる。これによってコインＰの上方を指先で摘んでコイン保持穴７からコインＰを容易に取り出すことができる。
【００２０】
このとき、コイン取出し機構Ｑの開口部９における円弧部分７ａに繋がる弦部分７ｂの両端側の差込溝部１０は、コインＰの周側部分が上方から開口部９側に向けて指先で押し込まれた際に、コインＰの両側が差込溝部１０に嵌り込む状態となり、これによってコインＰ自体は安定した状態で起立支持されるものとなり、以後のコインＰの取り出しが容易なものとなる。
【００２１】
また、弦部分７ｂは、コイン保持穴７の水平な直径ラインよりやや下側に位置しているため、コイン保持穴７で起立されたコインＰの上方が大きく突出するものとなり、コインＰの取り出しがいっそう容易となるうえに、コイン保持穴７の開口部９を突き抜けることによるコインＰの下方への落下を阻止することができる。
【図面の簡単な説明】
【００２２】
【図１】本発明を実施するための最良の形態におけるコインストッカーの収納部からコイン保持板を引き出した状態の斜前方向から見た斜視図である。
【図２】同じくコインストッカーの側面図である。
【図３】同じくコインストッカーを斜後方向から見た状態の斜視図である。
【図４】コイン保持板の一部切欠断面図である。
【図５】同じくコインの取り出し方法を説明するもので、（ａ）はコインを引き起こした状態の断面図、（ｂ）は図４のＩ−Ｉ部分の拡大断面図である。
【図６】コイン取出し機構の他例を示す一部切欠正面図である。
【符号の説明】
【００２３】
Ｐ    コイン
Ｑ    コイン取出し機構
Ｓ    ネックストラップ
１    コインストッカー
２    収納部
３    コイン保持板
４    支軸
５    取っ手
６    吊下げ孔部
７    コイン保持穴
７ａ  円弧部分
７ｂ  弦部分
８    突片部
９    開口部
１０  差込溝部
【図１】
2007252765.tif 000003
【図２】
2007252765.tif 000004
【図３】
2007252765.tif 000005
【図４】
2007252765.tif 000006
【図５】
2007252765.tif 000007
【図６】
2007252765.tif 000008